(57)【特許請求の範囲】
【請求項１】
立坑内にポストを立て、このポストの外周に、移動型枠をポストに沿って移動可能に配置し、この移動型枠を吊上げ装置によりポストを経由して昇降自在に吊持し、しかもこのポストをトラス構造として、これに梯子を設けたことを特徴とする立坑移動セントル。
【請求項２】
立坑内にポストを基礎部材により立坑軸方向に移設可能に立て、このポストの外周に、移動型枠をポストに沿って移動可能に配置し、この移動型枠をポストに設けた吊上げ装置により昇降自在に吊持したことを特徴とする立坑移動セントル。
【請求項３】
ポストをトラス構造として、これに梯子を設けたことを特徴とする請求項２に記載の立坑移動セントル。
【請求項４】
立坑内にポストを吊り部材により垂設し、このポストの外周に、移動型枠をポストに沿って移動可能に配置し、この移動型枠を吊上げ装置によりポストを経由して昇降自在に吊持し、しかもこのポストをトラス構造として、これに梯子を設けたことを特徴とする立坑移動セントル。
【請求項５】
立坑内にポストを立て、このポストの外周に、移動型枠をポストに沿って移動可能に配置し、ポスト側に設けたラックと移動型枠側に設けたピニオンとにより、移動型枠をポストに沿って昇降可能とし、しかもこのポストをトラス構造として、これに梯子を設けたことを特徴とする立坑移動セントル。
【発明の詳細な説明】
【０００１】
【産業上の利用分野】
本発明は、立坑内で移動型枠を移動して覆工等のためのコンクリート工事を繰り返し行う立坑移動セントルに関する。
【０００２】
【従来の技術】
従来の立坑移動セントルは、図９及び図１０に示すように移動型枠１の全体を、立坑２外（地上）のクレーン又はホイスト等（図示せず）によりワイヤ３を介して吊持しただけで、その移動は次のようにして行っていた。
１．コンクリート打設時には、移動型枠１の吊持状態を維持したまま、そのアングル材４を、既設のコンクリート５に固定したアンカーボルト（図示せず）にＣボルト６を締め付け、移動型枠１を仮固定する。
２．Ｃボルト６をコンクリート５から取り外す。
３．ジャッキ７を操作して移動型枠１のウォール８を縮め、脱型する。
４．移動型枠１をクレーン等で次の打設スパンまで吊り上げる。
５．ジャッキ７を操作して移動型枠１のウォール８を拡げ、前回打設時にコンクリート５に埋め込んでおいたアンカーボルト（図示せず）にＣボルト６を締め付け、上記１の工程と同様に移動型枠１を仮固定する。
【０００３】
【発明が解決しようとする課題】
しかし、これによると次のような問題点があった。
（１）移動型枠の移動作業中、移動型枠はクレーン等で宙吊り状態になっているので、不安定であるばかりでなく、落下の危険性があり、移動型枠上の作業員にとっては非常に危険な作業であった。
（２）移動型枠を仮固定する際のアンカーとなるダミーボルトは、コンクリートの養生を待ってからでないと使用できず（従来の場合、通常は３日サイクル）、工期が長くなるとか１サイクル毎の打設スパンの長さが制限されるいう問題があった。
（３）立坑入口から移動型枠までの階段等は、移動型枠の移動毎に撤去・再設置を繰り返さなければならず、作業性が悪かった。
（４）立坑底部までの階段等を取り付ける場合、その作業は困難と危険を伴うものであった。
【０００４】
そこで、本発明は、このような問題点を解決し、作業員の安全を移動型枠の移動中も含めて常時確保できるとともに、コンクリート打設もアンカーの養生待ち時間なく短時間にかつ効率的に施工できる立坑移動セントルを提供することを目的とする。
【０００５】
【課題を解決するための手段】
本発明の第１の態様の立坑移動セントルは、図１及び図２の例示のように、立坑１１内にポスト１０を立て、このポスト１０の外周に、移動型枠１６をポスト１０に沿って移動可能に配置し、この移動型枠１６を吊上げ装置１７によりポスト１０を経由して昇降自在に吊持し、しかもこのポストをトラス構造として、これに梯子を設けたものである。
【０００６】
第２の態様の立坑移動セントルは、図５の例示のように、立坑１１内にポスト１０を基礎部材２７により立坑軸方向に移設可能に立て、このポスト１０の外周に、移動型枠１６をポスト１０に沿って移動可能に配置し、この移動型枠１６をポスト１０に設けた吊上げ装置１７によって昇降自在に吊持したものである。この場合も、ポストをトラス構造として、これに梯子を設けることができる。
【０００７】
第３の態様の立坑移動セントルは、図６の例示のように、立坑１１内にポスト１０を吊り部材３０により垂設し、このポスト１０の外周に、移動型枠１６をポスト１０に沿って移動可能に配置し、この移動型枠１６を吊上げ装置１７によりポスト１０を経由して昇降自在に吊持し、し、しかもこのポストをトラス構造として、これに梯子を設けたものである。
【０００８】
第４の態様の立坑移動セントルは、図７の例示のように、立坑１１内にポスト１０を立て、このポスト１０の外周に、移動型枠１６をポスト１０に沿って移動可能に配置し、ポスト１０側に設けたラック３２と移動型枠１６側に設けたピニオン３３とにより、移動型枠１６をポスト１０に沿って昇降可能とし、しかもこのポストをトラス構造として、これに梯子を設けたものである。
【０００９】
【作用】
本発明の立坑移動セントルによれば、移動型枠の重量及びコンクリート打設時の荷重をポストに負担させ、移動型枠を常時安定した状態に保持できるとともに、ポストを作業員のための避難場所として利用できる。
【００１０】
【実施例】
次に、本発明の実施例を図面に従って説明する。
図１から図４は本発明の第１実施例を示す。この実施例では、トラス構造のポスト１０を、立坑１１の中央部に位置するように立坑底部１２上に垂直に立て、ポスト１０の一部を立坑入口１３から地上へ突出させ、その突出した上端の２箇所に装着した２連シーブ１４から２本のワイヤ１５によって移動型枠１６を昇降可能に吊持している。この２本のワイヤ１５のうちの一本は、地上に設置された吊上げ装置、例えばウインチ１７に巻き取られ、他の一本は、更にシーブ１８を介して別のウインチ１７に巻き取られる。移動型枠１６は、２台のウインチ１７を同時に駆動することにより昇降される。ポスト１０の内部には梯子１９が設けられ、この梯子１９は立坑入口１３に設けた橋２０（図２）によって地上と通じている。なお、ポスト１０は、立坑１１内で倒れないように適宜の固定手段によって固定する。
【００１１】
移動型枠１６は、図４に示すようにポスト１０を貫通させるようにその外周に配置され、ウォール２１をジャッキ（図示せず）によって従来と同様に開閉できる構造になっている。図の例の移動型枠１６には、金網張りの安全柵２２を有する上・中・下の３段の作業足場２３が設けられ、そのうちの少なくとも一つ、例えば下段の作業足場２３に、ポスト１０内の梯子１９へ渡るための渡り足場２３ａが延長して設けられている。この渡り足場２３ａには、移動型枠１６を昇降する際にポスト１０をガイドとするため案内ローラ２４を設ける。
【００１２】
ポスト１０側には、移動型枠１６の落下防止のためにストッパ２５を任意の高さに着脱自在に取り付け、移動型枠１６側には、ストッパ２５に当たる足部２６を下段の作業足場２３に設ける。また、図示していないが、移動型枠１６をポスト１０に対して仮固定するため、移動型枠１６とポスト１０との間に、控えワイヤや安全ピン等の簡単に着脱できる仮固定部材を取り付ける。
【００１３】
第１実施例の立坑移動セントルは次のようにして使用する。
（１）移動型枠１６を移動する場合、移動型枠１６がウインチ１７による吊上げ装置に確実に吊持され、かつ控えワイヤや安全ピン等により仮固定されていることを確認してから、ウォール２１を縮めて脱型する。
（２）全作業員は移動型枠１６の作業足場２３からポスト１０側へ移動し、控えワイヤや安全ピン等による仮固定を解除する。この場合、梯子１９を利用することができる。
（３）ポスト１０側で安全を確認したならば、ポスト１０側に移動した作業員がウインチ１７を遠隔操作し、移動型枠１６を決められた高さまで吊り上げる。
（４）移動型枠１６を控えワイヤや安全ピン等によってポスト１０に再び仮固定する。
（５）作業員はポスト１０側から移動型枠１６の作業足場２３へ移動し、ウォール２１を拡げてコンクリートの打設作業を行う。
【００１４】
次に、図５は本発明の第２実施例を示す。この立坑移動セントルは、ポスト１０を立坑軸方向に移設できるようにしたもので、最初はポスト１０を立坑底部１２上に垂直に立て、基礎部材２７によって立坑底部１２に固定する。ポスト１０を上方へ移設する場合は、ポスト１０を地上のクレーン等で吊り上げ（基礎部材２７もポスト１０と一体に移動）、立坑１１の内面の決められた高さにブラケット２８をアンカー２９により固定し、このブラケット２８で基礎部材２７を下から支持してポスト１０を垂直に立てる。この第２実施例の場合、移動型枠１６を吊り上げるウインチ１７はポスト１０の上端に設置する。このようにすると、ポスト１０の長さが立坑１１の深さよりも短くともよいので、立坑１１が深い場合に好都合である。その他は第１実施例と同様である。
【００１５】
図６は本発明の第３実施例を示す。この立坑移動セントルは、ポスト１０を、立坑入口１３に設置した吊り部材３０によって地上から立坑１１内に垂設し、ポスト１０の下端部は揺動しないように固定部材３１によって立坑１１に固定するもので、その他は第１実施例と同じである。
【００１６】
図７及び図８は本発明の第４実施例を示す。この立坑移動セントルは、ポスト１０側にラック３２を設け、移動型枠１６側には、このラック３２と噛み合うピニオン３３及びこのピニオン３３を回転させるブレーキ付きモータ３４を設け、移動型枠１６をポスト１０に沿って自動的にクライミングさせるようにしたものである。なお、この第４実施例においても、安全性を高めるために移動型枠１６を上述したような吊り下げ構造によって吊持することができる。その他は第１実施例と同様である。
【００１７】
【発明の効果】
以上述べたように本発明によれば、移動型枠の重量及びコンクリート打設時の荷重をポストに負担させることができるので、移動型枠を常時安定した状態に保持できる。また、移動型枠がどの位置にあっても、ポストを作業員のための避難場所として利用できるので、安全性を常時確保できる。更に、コンクリート打設も、アンカーの養生待ち時間なく短時間にかつ効率的に施工でき、安全性確保と相まって作業性の向上及び工期の短縮が図れる。
【図面の簡単な説明】
【図１】本発明の第１実施例の立坑移動セントルの全体正面図である。
【図２】同上の上端部の側面図である。
【図３】同上の平面図である。
【図４】同上の要部の拡大側面図である。
【図５】本発明の第２実施例の立坑移動セントルの全体正面図である。
【図６】第３実施例の立坑移動セントルの全体正面図である。
【図７】第４実施例の立坑移動セントルの全体正面図である。
【図８】同上の要部の拡大平面図である。
【図９】従来例の要部の正面図である。
【図１０】同上の平面図である。
【符号の説明】
１０  ポスト
１１  立坑
１６  移動型枠
１７  ウインチ（吊上げ装置）
１９  梯子
２７  基礎部材
３０  吊り部材
３２  ラック
３３  ピニオン
【図１】
0003560000.tif 000002
【図２】
0003560000.tif 000003
【図３】
0003560000.tif 000004
【図４】
0003560000.tif 000005
【図５】
0003560000.tif 000006
【図６】
0003560000.tif 000007
【図７】
0003560000.tif 000008
【図８】
0003560000.tif 000009
【図９】
0003560000.tif 000010
【図１０】
0003560000.tif 000011